(57)【要約】【課題】  本発明は、レンズや撮像素子を左右一対で備えるステレオカメラ部と、接眼レンズや表示素子を左右一対で備えるステレオファインダー兼ビューワー部と、公衆通信回線に無線によって接続する携帯情報端末部とを含むステレオカメラ付き携帯情報端末を提供する。【解決手段】  デバイス実装空間及び実装表面積の少ない携帯情報端末へのレンズや撮像素子を左右一対で備えるステレオカメラ部２と、接眼レンズや表示素子を左右一対で備えるステレオファインダー兼ビューワー部３の実装のために比較的利用率の低い携帯情報端末の両側面部に注目し、この部分にステレオカメラとして必要とするデバイスを配することで、携帯情報端末としての通常操作を犠牲にすることなくステレオカメラとしての機能とステレオファインダー兼ビューワーとしての機能の実装を行うことを特徴とするステレオカメラ付き携帯情報端末。【選択図】図３
2008257153.tif 000002
【特許請求の範囲】
【請求項１】
デバイス実装空間及び実装表面積の少ない携帯情報端末へのレンズや撮像素子を左右一対で備えるステレオカメラ部と、接眼レンズや表示素子を左右一対で備えるステレオファインダー兼ビューワー部の実装のために、図１、図２で示すように比較的利用率の低い携帯情報端末の両側面部に着目し、この部分にステレオカメラ構築のために必要となるデバイス類を配することで、携帯情報端末としての通常操作を犠牲にすることなくステレオカメラとしての機能と、ステレオファインダー兼ビューワーとしての機能の、両機能の実装を行うことを特徴とするステレオカメラ付き携帯情報端末。
【請求項２】
前記携帯情報端末は、ステレオファインダー兼ビューワー部の小面積の画像表示素子面を接眼レンズにて拡大して覗くという仕様によって画像表示素子しいては画像表示素子に映像を供給するステレオカメラ部の固体撮像素子の素子数を下げても鮮明で良好な画像の視認と製造コスト抑制が行えることを特徴とする請求項１に記載のステレオカメラ付き携帯情報端末。
【請求項３】
前記携帯情報端末は、個人差によってばらつきがある瞳孔間距離に合わせステレオファインダー兼ビューワー部の接眼部光軸間隔調整機能を搭載し、個々のユーザーの瞳孔間距離にアジャストすることを特徴とする請求項１および２に記載のステレオカメラ付き携帯情報端末。
【請求項４】
前記携帯情報端末は、ステレオカメラ部で撮影された左右の一対の画像を、画像処理モジュール部で左右の画像が横並びに繋がった一枚の画像データファイルとして新たに生成、携帯情報端末内のデータ記憶部に保存し、左右一対で保存・流通されなければならない画像の散逸を防ぐことを特徴とする請求項１に記載のステレオカメラ付き携帯情報端末。
【請求項５】
前記携帯情報端末は、データ記憶部に撮影後保存された、またはデータ通信及びメモリーカードによるデータ移動によって取得された画像データファイルを、画像処理モジュール部により左右別々の映像として読み出しステレオファインダー兼ビューワー部に表示することによって立体視を可能にする請求項１および４に記載のステレオカメラ付き携帯情報端末。
【請求項６】
前記携帯情報端末は、データ記憶部に保存されている画像データファイルを画像処理モジュール部で片側画像部分のみを切り出し単眼画像データとして、携帯情報端末内での利用及び他の携帯情報端末や携帯情報端末以外のパーソナルコンピュータ等の端末へデータ送信することを特徴とする請求項４に記載のステレオカメラ付き携帯情報端末。
【請求項７】
前記携帯情報端末は、撮影及びステレオファインダー兼ビューワー部での閲覧ができる画像データファイルがステレオ静止画像及びステレオ動画像であることを特徴とする請求項１、４および５に記載のステレオカメラ付き携帯情報端末。
【請求項８】
前記携帯情報端末は、携帯電話機、ＰＨＳ電話機、ＰＤＡ装置（Ｐｅｒｓｏｎａｌ  Ｄｉｇｉｔａｌ  Ａｓｓｉｓｔａｎｔ）またはデジタル無線電話であることを特徴とする請求項１〜７のいずれかに記載のステレオカメラ付き携帯情報端末。
【発明の詳細な説明】
【技術分野】
【０００１】  本発明は、レンズや撮像素子を左右一対で備えるステレオカメラ部と、接眼レンズや表示素子を左右一対で備えるステレオファインダー兼ビューワー部と、公衆通信回線に無線によって接続する携帯情報端末部とを含むステレオカメラ付き携帯情報端末に関する。
【背景技術】
【０００２】  従来のカメラ付き携帯情報端末は、複数のカメラ部を搭載するものもあったが、それぞれが単眼での撮影を想定したもので、携帯性、簡便性、ネットへの接続性を前面に押し出した安価なデジタルカメラ様の機能がユーザーに提供されていた。この従来のカメラ付き携帯情報端末は、当初他携帯機メーカー及び他キャリアとの差別化の為に携帯情報端末にオマケのようなものとして付けられていた安価で低機能なカメラであったが、カメラ付き携帯情報端末という商品ジャンルの確立とともに単体商品であるデジタルカメラに近似した用途で使われるようにもなり、１００万画素を超える固体撮像素子を持つものも現われるなど携帯情報端末のデジタルカメラ化が進んでいる。【０００３】  一方、アメリカのデビッド・ホワイト社が１９４７年に発売した、３５ｍｍフィルムを使用するステレオカメラは、リバーサルフィルムを主に使用し、平均的な瞳孔間距離をおいて左右に付いているレンズで一度に、２３×２４ｍｍのステレオ画像一組を撮影する。閲覧は撮影したスライドを、専用のマウントに２枚一組で納め、このマウント専用のビュワーで見るのが一般的あった。このステレオ写真フォーマットはリアリスト判フォーマットと呼ばれる。現在市場に出回っているステレオカメラは、１９５０年代の中古品が主であるので、露出計やオートフォーカス機能など現在のカメラでは常識となっている機能は搭載されていない。
【発明の開示】
【発明が解消しようとする課題】
【０００４】  カメラ付き携帯情報端末は前述のようにユーザーニーズを反映し高画質を求めデジタルカメラ化の方向に向かっているが、固体撮像素子の無制限な画素数アップが販売数の向上に直接的に寄与するという訳ではなく、携帯情報端末としての適正価格帯の中で、原価率の上昇を招く結果となっていると同時に、各社同様仕様の機種を投入しており差別化が難しい状況を生んでいる。以下にカメラ付き携帯情報端末の有する課題及び問題点を列記する。
（１）既にカメラ付き携帯情報端末という商品ジャンルを確立し広く普及し一般化することによって、日常的な機材となり新規性が失われ始めている。
（２）差別化目的での高画質化を狙って固体撮像素子の画素数の向上によるデジタルカメラ化の傾向が顕著であるが、携帯情報端末という性質上カメラ部にかけられるコストにも限界がある。
【０００５】  もう一つのステレオカメラの方は、ステレオ写真の持つ臨場感そして感性的な喜びの部分において通常の単眼の写真に比べて突出した優位性があるものの、撮影したリバーサルフィルムから立体映像を楽しむには専用ビューワー入手の必要があること、リバーサルフィルムの複製の手間及びコストなどから他人への映像配布の難しさがありマニアの嗜好品レベルで留まっていた。人間が元来持っているよりリアルなものを求める欲求から産み出された立体視技術であったにも関わらず、このような従来技術では克服できなかった幾つかの問題点によって、コンシューマーカメラ市場からの撤退を余儀なくされ、市場での認知度はほぼ無いに等しい状況となっている。以下に、その課題及び問題点を列記する。
（１）現存するステレオカメラは１９５０年代のもので露出計やオートフォーカス機能など現在のカメラでは常識となっている機能は搭載されていないために操作が難しい。
（２）リバーサルフィルムを使用するために、他人への複製に手間とコストがかかる。
（３）閲覧のためには、専用ビューワーが必要である。
【０００６】  本発明は、上記課題群を、ステレオカメラ及びカメラ付き携帯情報端末の双方技術融合による相乗効果によって克服し、ステレオカメラ付き携帯情報端末を実現することを目的とするものである。
【課題を解決するための手段】
【０００７】  請求項１の発明のステレオカメラ付き携帯情報端末での第１の解決手段は、上記目的を達成するために、デバイス実装空間及び実装表面積の少ない携帯情報端末へのレンズや撮像素子を左右一対で備えるステレオカメラ部と、接眼レンズや表示素子を左右一対で備えるステレオファインダー兼ビューワー部の実装のために、図１、図２で示すように比較的利用率の低い携帯情報端末の両側面部に着目し、この部分にステレオカメラ構築のために必要となるデバイス類を配することで、携帯情報端末としての通常操作を犠牲にすることなくステレオカメラとしての機能と、ステレオファインダー兼ビューワーとしての機能の、両機能の実装を行うものである。
【０００８】  請求項２の発明のステレオカメラ付き携帯情報端末での第２の解決手段は、ステレオファインダー兼ビューワー部の小面積の画像表示素子面を接眼レンズにて拡大して覗くという仕様によって画像表示素子しいては画像表示素子に映像を供給するステレオカメラ部の固体撮像素子の素子数を下げても鮮明で良好な画像の視認と製造コスト抑制が行ものである。
【０００９】  請求項３の発明のステレオカメラ付き携帯情報端末での第３の解決手段は、個人差によってばらつきがある瞳孔間距離に合わせステレオファインダー兼ビューワー部の接眼部光軸間隔調整機能を搭載し、個々のユーザーの瞳孔間距離にアジャストすることを行うものである。
【００１０】  請求項４の発明のステレオカメラ付き携帯情報端末で撮影及び閲覧ができる画像データファイルは、ステレオ静止画像及びステレオ動画像に対応するものである。
前記携帯情報端末は、ステレオカメラ部で撮影された左右の一対の画像を、画像処理モジュール部で左右の画像が横並びに繋がった一枚の画像データファイルとして新たに生成、携帯情報端末内のデータ記憶部に保存し、左右一対で保存・流通されなければならない画像の散逸を防ぐことを特徴とするステレオカメラ付き携帯情報端末。
【００１１】  請求項５の発明のステレオカメラ付き携帯情報端末での第５の解決手段は、データ記憶部に撮影後保存された、またはデータ通信及びメモリーカードによるデータ移動によって取得された画像データファイルを、画像処理モジュール部により左右別々の映像として読み出しステレオファインダー兼ビューワー部に表示することによって立体視を可能にするものである。
【００１２】  請求項６の発明のステレオカメラ付き携帯情報端末での第６の解決手段は、データ記憶部に保存されている画像データファイルを画像処理モジュール部で片側画像部分のみを切り出し単眼画像データとして、携帯情報端末内での利用及び他の携帯情報端末や携帯情報端末以外のパーソナルコンピュータ等の端末へデータ送信することを特徴とするものである。
【００１３】  請求項７の発明のステレオカメラ付き携帯情報端末での第７の解決手段は、撮影及びステレオファインダー兼ビューワー部での閲覧ができる画像データファイルがステレオ静止画像及びステレオ動画像であることを特徴とするものである。
【００１４】  請求項８の発明のステレオカメラ付き携帯情報端末での第８の解決手段は、携帯電話機、ＰＨＳ電話機、ＰＤＡ装置（Ｐｅｒｓｏｎａｌ  Ｄｉｇｉｔａｌ  Ａｓｓｉｓｔａｎｔ）またはデジタル無線電話であることを特徴とするものである。
【発明の効果】
【００１５】  以上説明したところから明らかなように、本発明によって提供されるステレオカメラ付き携帯情報端末は、カメラ部とビューワー部を合わせ持つことから、ステレオカメラ付き携帯情報端末一台でステレオ映像の撮影と閲覧を完結することが可能になった。
【００１６】  また、本発明による商品が携帯情報端末という一般への広範な普及が見込める商品であること、携帯情報端末がメモリーカードや通信による静止画像及び動画像のやり取りという手段を既に獲得していることから、ステレオカメラ付き携帯情報端末をインフラ基盤としたステレオ静止画像及びステレオ動画像のユーザー同士でのやり取り及びプロモーション・広告等への応用など、これまでの単眼画像に比べ、そのリアリティ故のビジネス的波及効果をも大きく期待することが可能となる。
【００１７】  本発明は、カメラ付き携帯情報端末の高画質化・高価値化の部分にステレオカメラというこれまでとは全く異なった次元での付加価値を加えようとするものであると同時に、携帯情報端末という単体商品としてのデジタルカメラを越える機能、それによる新たな利用方法及び閲覧方法を提供するものである。
【発明を実施するための最良の形態】
【００１８】  以下、本発明を実施の形態を、図１〜図４に基づいて説明する。【００１９】  図においては本発明によって提供されるステレオカメラ付き携帯情報端末の基本形は、携帯情報端末１の両側面にレンズや撮像素子を左右一対で備えるステレオカメラ部２と、接眼レンズや表示素子を左右一対で備えるステレオファインダー兼ビューワー部３及びシャッターボタン４を装備したものである。【００２０】  まず、ステレオカメラ部２の撮像素子でデジタル化された左右の静止画像及び動画像は、ステレオファインダー兼ビューワー部３の表示素子でリアルタイムに確認することができる。【００２１】  その状態で、シャッターボタン４が押されることによって左右のステレオ静止画像及びステレオ動画像は、画像処理モジュール部６で、左右の画像が横並びに繋がった１つの画像データファイル８として新たに生成され、携帯情報端末１内の画像データ記録部７へ書き込まれ保存される。【００２２】  以上のように撮影により保存、またはメモリーカードの交換及びネットから取得した画像データファイル８は、画像データ記録部７から読み出され、画像処理モジュール部６で左眼右眼の静止画像または動画像として分割後、ステレオファインダー兼ビューワー部３の左右それぞれの対応した部位に表示され、ユーザーは立体視を楽しむことができる。【００２３】  さらに、携帯情報端末のメイン液晶表示パネルへの表示や他のステレオカメラ付き携帯情報端末以外の携帯電話への画像の送信など互換性が必要な単眼の画像が必要な場合は、画像データ記録部７に保存されている画像データファイル８の片側半分を画像処理モジュール部６で切り取りそれを利用することができる。【００２４】  なお、本発明は上記の実施形態に限定されるものでなく本発明の要旨を変更しない範囲で様々な態様が実施可能である。
【図面の簡単な説明】
【００２５】
【図１】本発明の実施形態を示すステレオカメラ付き携帯情報端末の前方斜視図
【図２】同ステレオカメラ付き携帯情報端末の後方斜視図
【図３】同ステレオカメラ付き携帯情報端末の背面図
【図４】同ステレオカメラ付き携帯情報端末のシステム概念図
【図１】
2008257153.tif 000003
【図２】
2008257153.tif 000004
【図３】
2008257153.tif 000005
【図４】
2008257153.tif 000006